(57)【要約】【課題】暗号化／復号化に用いる鍵データの管理が容易で、且つ、医用画像ファイル中のユーザが所望する医用画像のデータを外部装置に早く送信する医用画像保管装置を提供すること。【解決手段】本実施形態による医用画像保管装置において、送受信部１２は、複数の医用画像を含む医用画像ファイルを受信する。分割部１４は、医用画像各々のデータを複数の部分ファイルに分割する。暗号化処理部１７は、複数の部分ファイルで共通する暗号鍵により、複数の部分ファイルを暗号化する。部分ファイル記憶部２１は、暗号化された複数の部分ファイルを、医用画像各々を特定するコードとともに記憶する。【選択図】      図２
2015165833.tif 000002
【特許請求の範囲】
【請求項１】
複数の医用画像を含む医用画像ファイルを受信する受信部と、
前記複数の医用画像のデータをそれぞれ複数の部分ファイルに分割する分割部と、
前記複数の部分ファイルで共通する暗号鍵により、前記複数の部分ファイルを暗号化する暗号化処理部と、前記暗号鍵は、一医用画像に対応する複数の部分ファイルで共通であり、
前記暗号化された複数の部分ファイルを、前記複数の医用画像をそれぞれ特定するコードとともに記憶する部分ファイル記憶部と、
を具備することを特徴とする医用画像保管装置。
【請求項２】
前記受信部を介して受信した特定の医用画像の取得要求に呼応して、前記部分ファイル記憶部から、前記特定の医用画像に対応する複数の部分ファイルを、前記特定の医用画像に対応するコードに基づいて読み出す読み出し部と、
前記読み出された複数の部分ファイルを、前記読み出された複数の部分ファイルの共通の暗号鍵に対応する復号鍵により復号する復号化処理部と、
前記復号された複数の部分ファイルを結合し、前記特定の医用画像のデータを復元する結合部と、
前記復元された特定の医用画像のデータを、前記取得要求を出した外部装置に送信する送信部と、
をさらに備えることを特徴とする請求項１記載の医用画像保管装置。
【請求項３】
前記送信部は、前記特定の医用画像のデータの送信後、前記複数の医用画像のうち、他の医用画像のデータを順次送信すること、
を特徴とする請求項２に記載の医用画像保管装置。
【請求項４】
前記複数の医用画像は、取得時刻に従って配列された同一部位に関する画像郡であること、
を特徴とする請求項３に記載の医用画像保管装置。
【請求項５】
前記複数の医用画像は、被検体の体軸方向の位置に従って配列された画像郡であること、
を特徴とする請求項３に記載の医用画像保管装置。
【請求項６】
前記複数の医用画像は、強調度に従って配列された同一画像に関する画像郡であること、
を特徴とする請求項３に記載の医用画像保管装置。
【請求項７】
前記他の医用画像は、前記複数の医用画像のうち、前記特定の医用画像に隣接する医用画像であること、
を特徴とする請求項４乃至請求項６のうち、いずれか１項に記載の医用画像保管装置。
【請求項８】
前記他の医用画像は、前記画像郡の先頭の医用画像であること、
を特徴とする請求項４乃至請求項６のうち、いずれか１項に記載の医用画像保管装置。
【請求項９】
前記複数の医用画像から、読影済を表すフラグが付帯されている医用画像を特定する特定部と、
前記特定された医用画像に対応するコードに基づいて、前記部分ファイル記憶部から、前記特定された医用画像に対応する複数の部分ファイルを読み出す読み出し部と、
前記読み出された複数の部分ファイルを、前記読み出された複数の部分ファイルの共通の暗号鍵に対応する復号鍵により復号する復号化処理部と、
前記復号された複数の部分ファイルを結合し、前記特定の医用画像のデータを復元する結合部と、
前記復元された特定の医用画像のデータを、取得要求先に送信する送信部と、
をさらに備えることを特徴とする請求項１記載の医用画像保管装置。
【発明の詳細な説明】
【技術分野】
【０００１】
本発明の実施形態は、医用画像保管装置に関する。
【背景技術】
【０００２】
近年、科学技術の進歩に伴って、医用画像保管装置は、オンラインネットワーク上で医用画像保管装置に接続されている装置との間で、医用画像のデータをやりとりができる。これにより、例えば、医用画像を専門的に表示する医用画像表示装置は、いつでも、どこでもオンラインネットワークを介して医用画像のデータを医用画像保管装置から即座に受信し、画像表示できるようになった。オンラインネットワーク上で各装置が接続されることにより、医療業務の効率改善だけでなく、読影医の居ない施設と大規模な医療施設とをオンラインネットワークで繋げることで実現する遠隔診療の拡大にも期待されている。
【０００３】
しかし、オンラインネットワーク上でやりとり可能となった医用画像のデータには、患者名、患者の病歴、診察結果などの個人情報が含まれる。そのため、医用画像データを保管、管理する医用画像保管装置には、安全性が要求される。
【０００４】
そこで、医用画像保管装置は、外部からのデータの不正取得を防止するために、医用画像のデータを複数に分割し、暗号化した後に、複数の記憶装置に分散させて記憶させる。医用画像保管装置は、医用画像表示装置からの特定の医用画像のデータ取得要求を受信すると、分散されたデータを復号及び結合する。そして、医用画像保管装置は復元した医用画像データを、取得要求先の医用画像表示装置に送信する。
【０００５】
しかしながら、例えば、シリーズ化されている複数の医用画像のデータなどの、一連の医用画像郡で意味を成す医用画像ファイルをファイル単位で扱う場合などにおいて、医用画像保管装置は、医用画像ファイルを機械的に分割していた。そのため、医用画像保管装置は、医用画像ファイル中の特定の医用画像のデータ取得要求を医用画像表示装置から受信すると、全ての分割されたデータに復号化処理及び結合処理を実行して、医用画像ファイルを復元する。そして、医用画像保管装置は、復元した医用画像ファイルのデータを取得要求先の医用画像表示装置に送信していた。
【０００６】
したがって、医用画像ファイルに、マルチフレーム及びエンハンスド画像などの大容量な医用画像のデータが含まれていると、医用画像保管装置による医用画像ファイルの復元に時間がかかってしまう。そのため、医用画像表示装置などは、医用画像ファイル中の特定の画像の取得要求を出してから、その特定の医用画像の表示までに時間がかかってしまう問題がある。一方、例えば、医用画像ファイルを画像単位で扱う場合において、医用画像表示装置などは、特定の画像の取得要求を出してから、その特定の医用画像を表示できる。しかし、画像毎に暗号化／復号化するための鍵データが必要となるため、医用画像保管装置による鍵データの管理が煩雑となる問題がある。
【先行技術文献】
【特許文献】
【０００７】
【特許文献１】特開２００７−７２６４３号公報
【発明の概要】
【発明が解決しようとする課題】
【０００８】
目的は、暗号化／復号化に用いる鍵データの管理が容易で、且つ、医用画像ファイル中のユーザが所望する医用画像のデータを外部装置に早く送信する医用画像保管装置を提供することにある。
【課題を解決するための手段】
【０００９】
本実施形態による医用画像保管装置は、複数の医用画像を含む医用画像ファイルを受信する受信部と、前記医用画像各々のデータを複数の部分ファイルに分割する分割部と、前記複数の部分ファイルで共通する暗号鍵により、前記複数の部分ファイルを暗号化する暗号化処理部と、前記暗号化された複数の部分ファイルを、前記医用画像各々を特定するコードとともに記憶する部分ファイル記憶部と、を具備することを特徴とする。
【図面の簡単な説明】
【００１０】
【図１】本実施形態に係る医用情報保管装置を含む院内システムの構成の一例を示す図である。
【図２】本実施形態に係る医用情報保管装置のブロック構成の一例を示す図である。
【図３】本実施形態に関わる医用画像保管装置の構成を説明するための図である。
【図４】本実施形態に係る医用画像保管装置の分割部による、医用画像ファイルのデータの分割方法を説明するための図である。
【図５】本実施形態に係る医用画像保管装置の管理表記憶部に記憶されている鍵管理表の一例を示す図である。
【図６】本実施形態に係る医用画像保管装置の管理表記憶部に記憶されている部分ファイル管理表の一例を示す図である。
【図７】本実施形態に係る医用画像保管装置における保管処理の手順の一例を示すフローチャートである。
【図８】本実施形態に係る医用画像保管装置における送信処理の手順の一例を示すフローチャートである。
【図９】本実施形態に係る医用情報保管装置の第１の自動送信方法を説明するための図である。
【図１０】本実施形態に係る医用情報保管装置の第２の自動送信方法を説明するための図である。
【図１１】本実施形態に係る医用情報保管装置の第３の自動送信方法を説明するための図である。
【図１２】本実施形態に係る医用情報保管装置の第４の自動送信方法を説明するための図である。
【図１３】本実施形態に係る医用情報保管装置の第５の自動送信方法を説明するための図である。
【発明を実施するための形態】
【００１１】
以下、図面を参照しながら本実施形態に係る医用画像表示装置を説明する。なお、以下の説明において、略同一の機能及び構成を有する構成要素については、同一符号を付し、重複説明は必要な場合にのみ行う。
【００１２】
図１は、本実施形態に係る医用画像保管装置１を含めた院内システム構成の一例を示す図である。図１に示すように、院内システムは、医用画像保管装置１、医用画像撮影装置２、医用画像診断装置３及び医用画像表示装置４で構成されている。
【００１３】
院内システムにおける各装置は、ネットワーク、典型的には、ＬＡＮ（Ｌｏｃａｌ  Ａｒｅａ  Ｎｅｔｗｏｒｋ）を介して相互に接続され、相互にデータ通信が可能である。院内システムの各装置で扱う医用画像のデータ及びこれらの装置間でのデータ通信は、例えば、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格に準拠している。
【００１４】
医用画像保管装置１は、例えば、ＮＡＳ（Ｎｅｔｗｏｒｋ  Ａｔｔａｃｈｅｄ  Ｓｔｏｒａｇｅ）などの、院内システムにおけるＬＡＮに接続されたファイルサーバの専用機である。医用画像保管装置１は、医用情報に関連する種々のデータを保管する。医用情報に関連する種々のデータとは、例えば、個々の医用画像のデータ、シリーズ画像などの一連の画像郡が含まれる医用画像ファイル、及び読影レポート等のデータである。
【００１５】
医用画像撮影装置２は、例えば、Ｘ線コンピュータ断層撮影（Ｃｏｍｐｕｔｅｄ  Ｔｏｍｏｇｒａｐｈｙ）装置（以下、Ｘ線ＣＴ装置と呼ぶ）、及び磁気共鳴イメージング（Ｍａｇｎｅｔｉｃ  Ｒｅｓｏｎａｎｃｅ  Ｉｍａｇｉｎｇ）装置（以下、ＭＲＩ装置と呼ぶ）などである。
【００１６】
医用画像診断装置３は、ユーザが、医用画像に対する画像処理及び医用画像に関する読影レポートの作成等を行うための装置である。画像処理とは、例えば、病変計測、表示切替、及び病変抽出等である。
【００１７】
医用画像表示装置４は、医師などが患者の回診等において、医用画像及び読影レポートを表示するための端末、例えば、スマートフォンやタブレット等のモバイル端末である。
【００１８】
なお、本実施形態では、医用画像撮影装置２、医用画像診断装置３及び医用画像表示装置４を個々に記載している。しかしながら、これらの記載は、説明の便宜上、その主な機能で分けたものであり、それぞれの機能を限定しているものではない。例えば、医用画像撮影装置２に、医用画像診断装置３の一部機能が組み込まれていてもよい。
【００１９】
なお、本実施形態で扱う医用画像のデータ及びこれらの装置間でのデータ通信がＤＩＣＯＭ規格に準拠していると記載しているが、他の規格に準拠していてもよい。
【００２０】
次に、本実施形態に係る医用画像保管装置１の構成について図２を参照して説明する。図２は、本実施形態に係る医用画像保管装置１のブロック構成の一例を示す図である。図２に示すように、医用画像保管装置１は、送受信部１２と、分割部１４と、ＩＤ付与部１５と、鍵発生部１６と、暗号化処理部１７と、復号化処理部１８と、結合部１９と、記憶部１３と、制御部１１とを有する。
【００２１】
送受信部１２は、医用画像保管装置１と外部装置との間のデータの送受信を行うための外部インターフェースである。具体的には、送受信部１２は、外部装置から送信された医用画像ファイルを、医用画像ファイルの保管要求に関する信号とともに受信する。送受信部１２は、医用画像保管装置１が記憶する複数の医用画像ファイルのうちの１つの医用画像ファイルに含まれる特定の医用画像の取得要求に関する信号を受信する。送受信部１２は、特定の医用画像のデータを取得要求先の外部装置に送信する。
【００２２】
分割部１４は、送受信部１２を介して医用画像保管装置１に取り込まれた医用画像ファイルを複数の部分ファイルに分割する。医用画像ファイルには、複数の医用画像が含まれている。複数の医用画像は、例えば、取得時刻に従って配列された同一部位に関する画像郡、被検体の体軸方向の位置に従って配列された画像郡、及び強調度に従って配列された同一画像に関する画像郡等である。
【００２３】
分割部１４は、医用画像ファイルを部分ファイル（多フレーム）と部分ファイル（付帯）とに分割する。部分ファイル（多フレーム）は、医用画像ファイルに含まれる医用画像各々のピクセルデータで構成されている。部分ファイル（付帯）は、医用画像ファイルに含まれる医用画像各々に付帯するデータで構成されている。付帯するデータは、例えば、検査情報、患者情報、シリーズ情報、及び画像情報等である。画像情報は、例えば、医用画像各々の表示に関する情報が含まれる。表示に関する情報とは、表示マトリクス情報、ウィンドウ中心、及びウィンドウ幅等である。
【００２４】
分割部１４は、部分ファイル（多フレーム）を複数の部分ファイル（１フレーム）に分割する。部分ファイル（１フレーム）各々は、医用画像ファイルに含まれる医用画像各々のデータに対応する。
【００２５】
分割部１４は、部分ファイル（１フレーム）を複数の部分ファイル（フレーム要素）に分割する。部分ファイル（フレーム要素）は、１つの医用画像のデータの部分要素である。したがって、部分ファイル（フレーム要素）には、他の医用画像に関するデータは含まれない。分割部１４による、医用画像ファイルの分割方法の詳細な説明は後述する。
【００２６】
ＩＤ付与部１５は、部分ファイル（フレーム要素）各々に対して、その基となる医用画像を特定するためのＩＤ（以下、画像ＩＤと呼ぶ）を付与する。ＩＤ付与部１５は、部分ファイル（フレーム要素）各々に対して、その基となる医用画像が含まれている医用画像ファイルを特定するためのＩＤ（以下、ファイルＩＤと呼ぶ）を付与する。ＩＤ付与部１５は、部分ファイル（フレーム要素）各々に対して、部分ファイル（フレーム要素）各々の関連付けをするＩＤ（以下、分割ＩＤと呼ぶ）を付与する。ＩＤ付与部１５は、部分ファイル（フレーム要素）各々に対して、部分ファイル記憶部２１における保管場所を特定するためのＩＤ（以下、保管ＩＤと呼ぶ）を付与する。なお、部分ファイルは、部分ファイル（フレーム要素）を示すこととする。
【００２７】
ＩＤ付与部１５は、部分ファイル（付帯）に対して、部分ファイル（付帯）を特定するための後述する付帯情報記憶部２２から読み出すためのＩＤ（以下、付帯ＩＤと呼ぶ）を付与する。なお、付帯ＩＤは、付帯情報記憶部２２から該当する部分ファイル（付帯）を読み出すためのＩＤであればよい。付帯ＩＤは、例えば、付帯情報記憶部２２における保管先のアドレスである。また、付帯ＩＤは、付帯情報記憶部２２から、該当する付帯ＩＤに対応する部分ファイル（付帯）を検索するためのＩＤであってもよい。ＩＤ付与部１５は、復号鍵データに対して、後述する復号鍵データを鍵記憶部２３から読み出すためのＩＤ（以下、鍵ＩＤと呼ぶ）を付与する。なお、鍵ＩＤは、鍵記憶部２３から該当する鍵データを読み出すためのＩＤであればよい。鍵ＩＤは、例えば、鍵記憶部２３における保管先のアドレスである。また、鍵ＩＤは、鍵記憶部２３から、該当する鍵ＩＤに対応する鍵データを検索するためのＩＤであってもよい。以下、説明を簡単にするため、付帯ＩＤは、部分ファイル（付帯）の付帯情報記憶部２２における保管アドレスを示すものとする。また、鍵ＩＤは、鍵データの鍵記憶部２３における保管アドレスを示すものとする。
【００２８】
鍵発生部１６は、複数の暗号鍵データと、複数の暗号鍵データにそれぞれ対応する複数の復号鍵データとを発生する。鍵発生部１６は、医用画像ファイルに対して、暗号鍵データと、復号鍵データを割り当てる。暗号鍵データは、暗号化処理時の暗号化アルゴリズムの手順を制御するためのデータである。復号鍵データは、復号化処理時の復号アルゴリズムの手順を制御するためのデータである。暗号化に用いられる方式は、共通鍵暗号方式でも公開鍵暗号方式でもよい。共通鍵暗号方式において、暗号鍵データと復号鍵データとは共通の鍵データとなる。公開鍵暗号方式において、暗号鍵データと復号鍵データとは異なる鍵データとなる。しかし、特定の暗号鍵データで暗号化されたデータは、特定の暗号鍵データに対応する復号鍵データにより復号化が可能である。以下、説明を簡単にするため、暗号化方式は、共通鍵暗号方式とする。なお、暗号化方式に公開暗号方式が用いられた場合における、各部の特有な動作等がある場合は、説明を追加する。
【００２９】
暗号化処理部１７は、鍵発生部１６により割り当てられた暗号鍵データを用いて、医用画像ファイルを暗号化する。具体的には、医用画像ファイルから分割部１４により分割された部分ファイル（付帯）と複数の部分ファイル（フレーム要素）とを共通の暗号鍵データを用いて暗号化する。
【００３０】
復号化処理部１８は、暗号化された部分ファイル（付帯）と複数の部分ファイル（フレーム要素）とを、暗号化に用いられた暗号鍵データに対応する復号鍵データにより復号化する。
【００３１】
結合部１９は、復号された複数の部分ファイル（フレーム要素）を、管理表記憶部２４に記憶された結合方法に基づいて結合し、前記特定の医用画像のデータを復元する。結合部１９による部分ファイル（フレーム要素）の結合方法は、ファイルＩＤ及び画像ＩＤに関連付けて記憶部１３に記憶されている。
【００３２】
記憶部１３は、半導体集積回路で構成されたＲＡＭ（Ｒａｎｄｏｍ  Ａｃｃｅｓｓ  Ｍｅｍｏｒｙ）、半導体記憶素子であるＦｌａｓｈ  ＳＳＤ（ＳｏｌＩＤ  Ｓｔａｔｅ  Ｄｉｓｋ）などの半導体記憶装置、ＨＤＤなどである。記憶部１３は、制御部１１からの制御に従い、種々のデータを記憶する。記憶部１３は記憶するデータの主な内容で複数の構成部に分けられる。記憶部１３は、部分ファイル記憶部２１と、付帯情報記憶部２２と、鍵記憶部２３と、及び管理表記憶部２４とを有する。
【００３３】
部分ファイル記憶部２１は、複数の部分ファイル（フレーム要素）を記憶する。付帯情報記憶部２２は、部分ファイル（付帯）を記憶する。鍵記憶部２３は、鍵発生部１６により発生された暗号鍵データと復号鍵データとを記憶する。管理表記憶部２４は、鍵管理表及び部分ファイル管理表を記憶する。鍵管理表は、本実施形態に係る医用画像保管装置１の各部の処理方法等が記憶されている。例えば、管理表記憶部２４には、分割部１４による部分ファイル（１フレーム）を部分ファイル（フレーム要素）に分割する方法が記憶されている。また、管理表記憶部２４には、制御部１１による、複数の部分ファイル（フレーム要素）を部分ファイル記憶部２１への記憶させる方法が記憶されている。管理表記憶部２４には、後述する複数の自動送信方法が記憶されている。記憶部１３の構成についての詳細説明は後述する。
【００３４】
制御部１１は、ＣＰＵ（Ｃｅｎｔｒａｌ  Ｐｒｏｃｅｓｓｉｎｇ  Ｕｎｉｔ）とメモリ回路などを含み、医用画像保管装置１を制御する。本実施形態に係る医用画像保管装置１は、医用情報に関連する種々のデータを保管、管理するファイルサーバである。そのため、医用画像保管装置１へのデータの書き込み及び医用画像保管装置１からのデータの読み出しに関する処理は、主にＬＡＮで接続されている他の装置（以下、外部装置と呼ぶ）から入力された情報に基づいて行われる。具体的には、制御部１１は、後述する送受信部１２を介して外部装置からの入力信号を受信し、その情報を一時的にメモリ回路に記憶する。そして、制御部１１は、この情報に基づいて、各部を制御する。具体的には、制御部１１（読み出し部）は、外部装置から取得を要求された特定の医用画像に対応する暗号化された複数の部分ファイル（フレーム要素）を、部分ファイル記憶部２１から読み出す。制御部１１（読み出し部）は、外部装置から保管を要求された医用画像ファイルを分割した複数の部分ファイル（フレーム要素）を管理表記憶部２４に記憶された記憶方法に従って、部分ファイル記憶部２１に記憶させる。
【００３５】
次に、本実施形態に係る医用画像保管装置１のハードウェア構成について図３を参照して説明する。図３は、本実施形態に関わる医用画像保管装置１の構成を説明するための図である。
【００３６】
図３に示すように、本実施形態に係る医用画像保管装置１は、データセンタ２５と複数の記憶ディスクとで構成される。データセンタ２５は、図２のブロック構成における、部分ファイル記憶部２１以外の構成部として機能する。複数の記憶ディスクは、例えば、図３に示すように３つの記憶ディスク（リポジトリ）で構成される。記憶ディスク各々は、図２のブロック構成における、部分ファイル記憶部２１として機能する。したがって、記憶ディスク各々は、複数の部分ファイル（フレーム要素）を記憶するための専用の記憶装置である。データセンタ２５と記憶ディスク各々とは、ＤＡＳ（Ｄｉｒｅｃｔ  Ａｔｔａｃｈｅｄ  Ｓｔｏｒａｇｅ）接続やＮＡＳ（Ｎｅｔｗｏｒｋ  Ａｔｔａｃｈｅｄ  Ｓｔｏｒａｇｅ）接続等により、ネットワーク上で接続されている。記憶ディスク各々は、データセンタ２５内の制御部１１により制御される。具体的には、部分ファイル（１フレーム）から分割部１４により分割された複数の部分ファイル（フレーム要素）は、管理表記憶部２４に記憶された記憶方法に従って、制御部１１により記憶ディスク各々に分散されて記憶される。例えば、部分ファイル（１フレーム）が分割部１４により３つの部分ファイル（フレーム要素）に分割された場合において、制御部１１により、部分ファイル（フレーム要素）各々は、記憶ディスクＡ２６、記憶ディスクＢ２７、及び記憶ディスクＣ２８にそれぞれ分散されて記憶される。
【００３７】
なお、本実施形態に係る医用画像保管装置１は、図３の構成に限定されない。本実施形態に係る医用画像保管装置１は、部分ファイル（フレーム要素）を複数の記憶ディスクに分散させて記憶させる。そのため、記憶ディスクは２つ以上あればよい。また、複数の記憶ディスクは、パーティション分割により複数の記憶ディスクとして認識させた１つのハードウェア記憶装置で構成されてもよい。
【００３８】
なお、本実施形態に係る医用画像保管装置１は、データ保管方法として、ＲＡＩＤ（Ｒｅｄｕｎｄａｎｔ  Ａｒｒａｙ  Ｉｎｄｅｐｅｎｄｅｎｔ  Ｄｉｓｋｓ）システムを構成してもよい。
【００３９】
次に、本実施形態に係る医用画像保管装置１の分割部１４による、医用画像ファイルの分割方法について、図４を参照して説明する。
【００４０】
図４は、本実施形態に係る医用画像保管装置１の分割部１４による、医用画像ファイルのデータの分割方法を説明するための図である。図４の説明では、説明を簡単にするため、１つの医用画像ファイルＡが分割部１４により分割される場合を例に取りあげる。また、図４の説明で扱う医用画像ファイルは、ＤＩＣＯＭ規格に準拠しているものとする。図４に示すように、医用画像ファイルＡには、４つの医用画像が含まれている。
【００４１】
分割部１４は、医用画像ファイルを、タグデータ等に基づいて、部分ファイル（多フレーム）と部分ファイル（付帯）とに分割する。
【００４２】
分割部１４は、タグデータ等に基づいて、部分ファイル（多フレーム）を複数の部分ファイル（１フレーム）に分割する。部分ファイル（１フレーム）各々は、医用画像ファイルに含まれる医用画像各々のデータに対応する。
【００４３】
分割部１４は、部分ファイル（１フレーム）を、管理表記憶部２４に記憶された分割方法に従って、複数の部分ファイル（フレーム要素）に分割する。管理表記憶部２４に記憶された分割方法とは、例えば、部分ファイル（１フレーム）は、部分ファイル記憶部２１を構成する記憶ディスクの数に従って、複数の部分ファイル（フレーム要素）に分割される。また、例えば、部分ファイル（１フレーム）は、予め管理表記憶部２４に記憶された部分ファイル（フレーム要素）の最大容量値に従って、複数の部分ファイル（フレーム要素）に分割する。また、例えば、部分ファイル（１フレーム）は、記憶先の記憶ディスクの数と、各記憶ディスクの空き容量とに従って、複数の部分ファイル（フレーム要素）に分割する。したがって、部分ファイル（１フレーム）から分割される部分ファイル（フレーム要素）の数は部分ファイル（１フレーム）各々で同一でなくてもよい。また、部分ファイル（１フレーム）から分割される部分ファイル（フレーム要素）各々の容量値は同一でなくてもよい。
【００４４】
次に、管理表記憶部２４に記憶されている鍵管理表について、図５を参照して説明する。図５は、本実施形態に係る医用画像保管装置１の管理表記憶部２４に記憶されている鍵管理表の一例を示す図である。
【００４５】
図５に示すように、鍵管理表では、ファイルＩＤに対して、鍵ＩＤ及び付帯ＩＤがそれぞれ対応付けされている。図５に示す鍵管理表では、例えば、医用画像ファイルＡのファイルＩＤが付与されている共通鍵データが、鍵記憶部２３のＡ−１２１に保管されていることを示している。また、医用画像ファイルＡのファイルＩＤが付与されている部分ファイル（付帯）が付帯情報記憶部２２のＡＡ−１２１に保管されていることを示している。
【００４６】
また、暗号化処理部１７による暗号化に、公開鍵暗号方式が用いられた場合においては、鍵管理表では、ファイルＩＤに対して、暗号鍵ＩＤ、復号鍵ＩＤ、及び付帯ＩＤがそれぞれ対応付けされている。
【００４７】
なお、鍵管理表は、図５に示す鍵管理表の管理項目に限定されない。例えば、鍵管理表において、ファイルＩＤに対して、施設を特定するための施設ＩＤ及び患者を特定するための患者ＩＤ等を対応させてもよい。ファイルＩＤに対して、鍵ＩＤと共に施設ＩＤ、患者ＩＤ等を対応させることで、患者の取り違いの防止等、セキュリティの向上が図れる。
【００４８】
次に、管理表記憶部２４に記憶されている部分ファイル管理表について、図６を参照して説明する。図６は、本実施形態に係る医用画像保管装置１の管理表記憶部２４に記憶されている部分ファイル管理表の一例を示す図である。
【００４９】
図６に示すように、部分ファイル管理表では、ファイルＩＤに対して、画像ＩＤと、分割ＩＤと、保管ＩＤとが対応付けされている。図６に示す部分ファイル管理表では、例えば、ファイルＩＤ「Ａ」の医用画像ファイルには２２個の部分ファイル（１フレーム）が含まれていることを示している。例えば、ファイルＩＤ「Ａ」の医用画像ファイルの中の、画像ＩＤ「Ａ１」の部分ファイル（１フレーム）は、３つの部分ファイル（フレーム要素）に分割されていることを示している。３つの部分ファイル（フレーム要素）のうち、分割ＩＤ「１」の部分ファイル（フレーム要素）が部分ファイル記憶部２１の「ＲＸ」に保管されていることを示している。
【００５０】
なお、部分ファイル管理表は、図６に示す部分ファイル管理表の管理項目に限定されない。本実施形態に係る医用画像保管装置１の部分ファイル記憶部２１は、複数の記憶ディスクで構成されるため、例えば、部分ファイル管理表において、ファイルＩＤに対して、記憶ディスクの保管施設を特定するためのＩＤ等を対応付けてもよい。
【００５１】
（保管機能）
保管機能とは、本実施形態に係る医用画像保管装置１が、外部装置からの保管要求とともに受信した医用画像ファイルを部分ファイル記憶部２１に保管する機能である。保管機能に従う処理（以下、保管処理）について図７を参照して説明する。図７は、本実施形態に係る医用画像保管装置１における保管処理の手順の一例を示すフローチャートである。
【００５２】
送受信部１２により、外部装置からの保管要求とともに医用画像ファイルが受信される（ステップＳ１１）。医用画像ファイルに対して、ＩＤ付与部１５によりファイルＩＤが付与される。ファイルＩＤは、制御部１１により、鍵管理表及び部分ファイル管理表に書き込まれる。１つの医用画像ファイルに対して、暗号化と復号化とに用いられる１つの共通鍵データが鍵発生部１６により発生（割り当て）される（ステップＳ１２）。共通鍵データに対して、ＩＤ付与部１５により鍵ＩＤが付与される。鍵ＩＤは、制御部１１により、鍵管理表に、ファイルＩＤと対応付けされて書き込まれる。分割部１４により、医用画像ファイルが部分ファイル（付帯）と部分ファイル（多フレーム）とに分割される（ステップＳ１３）。部分ファイル（付帯）には、ＩＤ付与部１５により、付帯ＩＤが付与される。付帯ＩＤは、制御部１１により、鍵管理表に、ファイルＩＤと鍵ＩＤとに対応付けされて書き込まれる。部分ファイル（付帯）は、暗号化処理部１７により共通鍵データを用いて暗号化される（ステップＳ１４）。暗号化された部分ファイル（付帯）は、制御部１１により、付帯情報記憶部２２に記憶される（ステップＳ１５）。
【００５３】
分割部１４により、部分ファイル（多フレーム）が複数の部分ファイル（１フレーム）に分割される（ステップＳ１６）。部分ファイル（１フレーム）各々には、ＩＤ付与部１５により、画像ＩＤが付与される。画像ＩＤは、制御部１１により、部分ファイル管理表にファイルＩＤと対応付けされて書き込まれる。
【００５４】
分割部１４により、部分ファイル（１フレーム）が複数の部分ファイル（フレーム要素）に分割される（ステップＳ１７）。複数の部分ファイル（フレーム要素）各々には、ＩＤ付与部１５により、分割ＩＤが付与される。分割ＩＤは、制御部１１により、部分ファイル管理表にファイルＩＤ、画像ＩＤと対応付けされて書き込まれる。複数の部分ファイル（フレーム要素）は暗号化処理部１７によりファイルＩＤに関連付けされている共通鍵データを用いて暗号化される（ステップＳ１８）。暗号化された部分ファイル（フレーム要素）各々は、制御部１１により、部分ファイル記憶部２１に記憶される（ステップＳ１９）。この時、部分ファイル（フレーム要素）各々には、ＩＤ付与部１５により、保管ＩＤが付与される。保管ＩＤは、制御部１１により、部分ファイル管理表にファイルＩＤ、画像ＩＤ、及び分割ＩＤと対応付けされて書き込まれる。
【００５５】
（送信機能）
送信機能とは、本実施形態に係る医用画像保管装置１が、外部装置からの特定の医用画像ファイルのうち、特定の医用画像のデータの取得要求に対して、その特定の医用画像のデータを取得要求先の外部装置に送信する機能である。送信機能に従う処理（以下、送信処理）について図８を参照して説明する。図８は、本実施形態に係る医用画像保管装置１における送信処理の手順の一例を示すフローチャートである。
【００５６】
送受信部１２により、外部装置からの画像指定による画像取得要求に関する信号が受信される（ステップＳ３１）。管理表記憶部２４に記憶されている鍵管理表と部分ファイル管理表とが制御部１１により読み出される。外部装置からの画像取得要求に関する信号に基づいて、鍵管理表及び部分ファイル管理表から、指定された医用画像ファイルのファイルＩＤと指定された医用画像の画像ＩＤとが制御部１１により特定される。特定したファイルＩＤに対応する鍵ＩＤと付帯ＩＤとが、鍵管理表から制御部１１により特定される。鍵ＩＤに従って、鍵記憶部２３から鍵ＩＤに対応する共通鍵データが制御部１１により読み出される（ステップＳ３２）。付帯ＩＤに従って、付帯情報記憶部２２から付帯ＩＤに対応する暗号化された部分ファイル（付帯）が読み出される（ステップＳ３３）。復号化処理部１８により、読み出された共通鍵データを用いて部分ファイル（付帯）が復号化される（ステップＳ３４）。
【００５７】
特定したファイルＩＤと画像ＩＤとに関連付けされている分割ＩＤと保管ＩＤとが、部分ファイル管理表から制御部１１により特定される。保管ＩＤに従って、部分ファイル記憶部２１から、暗号化された複数の部分ファイル（フレーム要素）が制御部１１により読み出される（ステップＳ３５）。暗号化された複数の部分ファイル（フレーム要素）が、共通鍵データを用いて復号化処理部１８により復号化される（ステップＳ３６）。復号化された複数の部分ファイル（フレーム要素）が、結合部１９により結合され、外部装置から取得要求された医用画像（部分ファイル（１フレーム））が復元される（ステップＳ３７）。復元された部分ファイル（１フレーム）は、部分ファイル（1フレーム）に対応する部分ファイル（付帯）の付帯情報とともに、送受信部１２を介して取得要求先の外部装置に送信される（ステップＳ３８）。以下、後述する自動送信処理が実行される。
【００５８】
（自動送信機能）
自動送信機能は、本実施形態に係る医用画像保管装置１が、外部装置から取得要求を出された特定の医用画像ファイルの中の特定の医用画像のデータを、取得要求先の外部装置に送信後に、その特定の医用画像ファイルの中の他の医用画像を、自動送信方法に従って、順次、取得要求先の外部装置に送信する機能である。また、自動送信機能は、本実施形態に係る医用画像保管装置１が、外部装置から医用画像ファイルの取得要求を出された場合において、自動的にユーザが所望する医用画像のデータを、自動送信方法に従って、順次、取得要求先の外部装置に送信する機能である。自動送信方法は、例えば、各部を制御するための手順等である。自動送信方法は、管理表記憶部２４に予め記憶されている。管理表記憶部２４には、複数種類の自動送信方法が記憶されている。なお、以下の説明において、外部装置は、典型的な例として医用画像表示装置４とする。
【００５９】
本実施形態に係る医用画像保管装置１には、特定の医用画像ファイルのうち、特定の医用画像指定時における、複数種類の自動送信方法のうちの１つが設定されている。本実施形態に係る医用画像保管装置１には、特定の医用画像ファイル指定時における、複数種類の自動送信方法のうちの１つが設定されている。なお、自動送信方法の設定は、本実施形態に係る医用画像保管装置１の操作部（図示しない）を介して、ユーザにより変更が可能である。また、自動送信方法の設定は、外部装置を介したユーザ操作に従って、変更が可能である。
【００６０】
自動送信機能に従う処理（以下、自動送信処理）について、自動送信方法の種類に対応する図９乃至図１３を参照して説明する。なお、図９乃至図１３の説明を簡単にするため、医用画像ファイル「Ａ」には、６つの医用画像が含まれているものとする。これらの医用画像には、画像ＩＤ「１」から画像ＩＤ「６」までの画像ＩＤが付与されているものとする。また、図９乃至図１１の説明において、医用画像表示装置４から取得要求を出されたのは、医用画像ファイル「Ａ」の中の、画像ＩＤ「４」の医用画像（以下、指定画像と呼ぶ）とする。図１２及び１３の説明において、医用画像表示装置４から取得要求を出されたのは、医用画像ファイル「Ａ」とする。
【００６１】
図９は、本実施形態に係る医用画像保管装置１の第１の自動送信方法を説明するための図である。第１の自動送信方法において、指定画像から近い順に送信処理が各部により実行される。具体的には、指定画像の送信処理が実行されると、指定画像の画像ＩＤと隣り合う医用画像から順次、医用画像保管装置１の各部により、送信処理が実行される。
【００６２】
例えば、図９に示すように、指定画像である画像ＩＤ「４」に対応する医用画像のデータの医用画像表示装置４への送信処理が実行される、医用画像保管装置１の各部により、画像ＩＤ「３」に対応する医用画像のデータの送信処理が開始される。画像ＩＤ「３」に対応する医用画像のデータの医用画像表示装置４への送信処理が実行されると、医用画像保管装置１の各部により、画像ＩＤ「５」に対応する医用画像のデータの送信処理が開始される。上述したとおり、第１の自動送信機能では、指定画像（画像ＩＤ「４」）から画像ＩＤが近い順に、医用画像保管装置１の各部により、自動的に送信処理が実行される。医用画像ファイル「Ａ」の中に含まれる６つの医用画像の送信処理の実行が完了するまで、医用画像保管装置１の各部による送信処理が実行される。
【００６３】
第１の自動送信方法は、ユーザが、指定画像の読影後、指定画像の隣り合う医用画像から順次、読影することを想定している。上述の想定したユーザ読影順序において、第１の自動送信方法を搭載した医用画像保管装置１は、医用画像ファイル中のユーザが所望する医用画像のデータを医用画像表示装置４に早く送信することができる。
【００６４】
図１０は、本実施形態に係る医用画像保管装置１の第２の自動送信方法を説明するための図である。第２の自動送信方法において、指定画像の送信処理の実行後、医用画像保管装置１の各部により、指定画像の画像ＩＤから画像ＩＤの降順に医用画像のデータの送信処理が実行される。その後、医用画像保管装置１の各部により、指定画像の画像ＩＤから画像ＩＤの昇順に医用画像のデータの送信処理が実行される。
【００６５】
例えば、図１０に示すように、指定画像である画像ＩＤ「４」に対応する医用画像のデータの送信処理が実行されると、医用画像保管装置１の各部により、画像ＩＤ「３」に対応する医用画像のデータ、画像ＩＤ「２」に対応する医用画像のデータ、画像ＩＤ「１」に対応する医用画像のデータの順序で、順次送信処理が実行される。そして、画像ＩＤ「１」に対応する医用画像のデータの送信処理が実行されると、医用画像保管装置１の各部により、画像ＩＤ「５」に対応する医用画像のデータ、画像ＩＤ［６］に対応する医用画像のデータの順序で、順次送信処理が実行される。
【００６６】
なお、上述した第２の自動送信方法において、昇順と降順とは、処理順序が逆であってもよい。つまり、指定画像の送信処理の実行後、医用画像保管装置１の各部により、指定画像の画像ＩＤから画像ＩＤの昇順に医用画像のデータの送信処理が実行されてもよい。その後、医用画像保管装置１の各部により、指定画像の画像ＩＤから画像ＩＤの降順に医用画像のデータの送信処理が実行されてもよい。
【００６７】
第２の自動送信方法は、ユーザが、指定画像の読影後、指定画像から画像ＩＤが降順又は昇順の画像ＩＤに対応する医用画像を順次読影することを想定している。上述の想定したユーザ読影順序において、第２の自動送信方法を搭載した医用画像保管装置１は、医用画像ファイル中のユーザが所望する医用画像のデータを医用画像表示装置４に早く送信することができる。
【００６８】
図１１は、本実施形態に係る医用画像保管装置１の第３の自動送信方法を説明するための図である。第３の自動送信方法において、指定画像の送信処理の実行後、医用画像保管装置１の各部により、医用画像ファイルに含まれる先頭の医用画像のデータから、画像ＩＤが昇順する順序で、順次送信処理が実行される。
【００６９】
例えば、図１１に示すように、指定画像である画像ＩＤ「４」に対応する医用画像のデータの送信処理が実行されると、医用画像保管装置１の各部により、画像ＩＤ「１」に対応する医用画像のデータ、画像ＩＤ「２」に対応する医用画像のデータ、画像ＩＤ「３」に対応する医用画像のデータ、画像ＩＤ「４」に対応する医用画像のデータ、画像ＩＤ「５」に対応する医用画像のデータの順序で、順次送信処理が実行される。
【００７０】
なお、上述した第２の自動送信方法において、昇順と降順とは、処理順序が逆であってもよい。つまり、指定画像の送信処理の実行後、医用画像保管装置１の各部により、指定画像の画像ＩＤから画像ＩＤの昇順に医用画像のデータの送信処理が実行されてもよい。その後、医用画像保管装置１の各部により、医用画像ファイルに含まれる先頭の医用画像のデータから、画像ＩＤが降順する順序で、順次送信処理が実行される。
【００７１】
第３の自動送信方法は、ユーザが、指定画像の読影後、医用画像ファイルに含まれる最初の医用画像から順次読影することを想定している。上述の想定したユーザ読影順序において、第２の自動送信方法を搭載した医用画像保管装置１は、医用画像ファイル中のユーザが所望する医用画像のデータを医用画像表示装置４に早く送信することができる。
【００７２】
図１２は、本実施形態に係る医用画像保管装置１の第４の自動送信方法を説明するための図である。第４の自動送信方法は、医用画像ファイルの取得要求が送受信部１２を介して受信された場合に適用可能である。医用画像ファイルの取得要求の受信後、医用画像保管装置１の各部により、医用画像データにマークが付帯されている医用画像（以下、キー画像と呼ぶ）の送信処理が実行される。この時、制御部１１により、医用画像ファイルの中から、医用画像データにマークが付帯されている医用画像が抽出される。マークは、例えば、ＧＳＰＳ（Ｇｒａｙｓｃａｌｅ  Ｓｏｆｔｃｏｐｙ  Ｐｒｅｚｅｎｔａｔｉｏｎ  Ｓｔａｔｅ）、読影済を示すタグ、及び読影レポートに関する付帯情報等である。キー画像の送信処理実行後、第１の自動送信方法、第２の自動送信方法、及び第３の自動送信方法のいずれか１つの自動送信方法に従って、医用画像保管装置１の各部により、順次、医用画像ファイルの中の他の医用画像の送信処理が実行される。この時、第１の自動送信方法、第２の自動送信方法、及び第３の自動送信方法の説明における「指定画像」は、「キー画像」に置き換えして説明が可能である。以下、キー画像の送信処理実行後、医用画像保管装置１の各部により、第１の自動送信方法に従って、順次、送信処理が実行される例について図１２を参照して説明する。
【００７３】
図１２に示すように、画像ＩＤ「３」に対応する医用画像のデータに、ＧＳＰＳが付帯されている。したがって、画像ＩＤ「３」に対応する医用画像がキー画像である。医用画像保管装置１の各部により、画像ＩＤ「３」に対応する医用画像のデータに対する送信処理が実行される。キー画像の送信処理が実行されると、第１の自動送信方法に従って、医用画像保管装置１の各部により、送信処理が実行される。つまり、キー画像の画像ＩＤと隣り合う医用画像から順次、医用画像保管装置１の各部により、送信処理が実行される。
【００７４】
キー画像である画像ＩＤ「３」に対応する医用画像のデータの医用画像表示装置４への送信処理が実行されると、医用画像保管装置１の各部により、画像ＩＤ「４」に対応する医用画像のデータの送信処理が開始される。画像ＩＤ「４」に対応する医用画像のデータの医用画像表示装置４への送信処理が実行されると、医用画像保管装置１の各部により、画像ＩＤ「２」に対応する医用画像のデータの送信処理が開始される。上述したとおり、第４の自動送信方法では、医用画像ファイルから特定されたキー画像から、画像ＩＤが近い順に、医用画像保管装置１の各部により、自動的に送信処理が実行される。
【００７５】
第４の自動送信方法は、ユーザが、医用画像ファイルの中で、特定の医用画像を指定しなくても、最初に読影する医用画像は、キー画像であることを想定している。上述の想定したユーザ読影順序において、第４の自動送信方法を搭載した医用画像保管装置１は、医用画像ファイル中のユーザが所望する医用画像のデータを医用画像表示装置４に早く送信することができる。
【００７６】
図１３は、本実施形態に係る医用画像保管装置１の第５の自動送信方法を説明するための図である。第５の自動送信方法は、医用画像ファイルの取得要求が送受信部１２を介して受信された場合に適用可能である。医用画像ファイルの取得要求の受信後、医用画像保管装置１の各部により、医用画像ファイルのうち、最初の医用画像から順次、送信処理が実行される。
【００７７】
例えば、図１３に示すように、医用画像保管装置１の各部により、画像ＩＤ「１」に対応する医用画像のデータから画像ＩＤ「６」に対応する医用画像のデータまで、順次送信処理が実行される。
【００７８】
第５の自動送信方法は、ユーザが、医用画像ファイルの中で、特定の医用画像を指定しなくても、最初に読影する医用画像は、医用画像ファイルの中の、最初の医用画像であることを想定している。上述の想定したユーザ読影順序において、第５の自動送信方法を搭載した医用画像保管装置１は、医用画像ファイル中のユーザが所望する医用画像のデータを医用画像表示装置４に早く送信することができる。
【００７９】
以上に述べた構成によれば、以下の効果を得ることができる。  
本実施形態に係る医用画像保管装置１によれば、複数の医用画像を含む医用画像ファイルから分割された複数の部分ファイル（フレーム要素）と部分ファイル（付帯）との暗号化に同一の鍵データが用いられる。また、暗号化された、これらのファイルの復号化に同一の鍵データが用いられる。そのため、暗号化／復号化に用いる鍵データの管理が容易である。
【００８０】
また、本実施形態に係る医用画像保管装置１によれば、保管処理において、分割部１４は、医用画像ファイルを、部分ファイル（付帯）と部分ファイル（多フレーム）とに分割する。分割部１４は、部分ファイル（多フレーム）を複数の部分ファイル（１フレーム）に分割する。分割部１４は、複数の部分ファイル（１フレーム）各々を複数の部分ファイル（フレーム要素）に分割する。複数の部分ファイル（フレーム要素）各々には、ファイルＩＤ，画像ＩＤ、分割ＩＤ、及び保管ＩＤがＩＤ付与部１５により付与される。これらのＩＤは、部分ファイル管理表で管理される。したがって、医用画像ファイルの中の、医用画像各々を画像単位で送信処理することができる。以上のことから、本実施形態に係る医用画像保管装置１は、特定の医用画像の取得要求があった場合において、取得要求のあった医用画像のデータを取得要求先の外部装置に早く送信することができる。
【００８１】
以上に述べた自動送信機能によれば、以下の効果を得ることができる。  
自動送信機能を備える本実施形態に係る医用画像保管装置１によれば、外部装置から取得要求のあった医用画像の送信処理後、次の取得要求がなくても、自動送信方法に従って、順次、医用画像の送信処理を実行することができる。また、外部装置から医用画像ファイルの取得要求があった場合（指定画像がない場合）において、医用画像ファイルの中から、自動送信方法に従って、順次、医用画像の送信処理を実行することができる。記憶部には、指定画像読影後の、ユーザによる読影順序を想定した複数種類の自動送信方法が記憶されている。また、管理表記憶部２４には、指定画像がない場合において、ユーザにより最初に読影される医用画像を想定した複数種類の自動送信方法が記憶されている。したがって、設定された自動送信方法に従ったユーザによる読影順序において、本実施形態に係る医用画像保管装置１は、ユーザが所望する医用画像のデータを外部装置に早く送信することができる。
【００８２】
なお、自動送信方法として、５つの自動送信方法を説明しているが、これらは典型的な自動送信方法の例である。したがって、自動送信方法は、上述した効果を得られるのであれば、他の順序であってもよい。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。
【符号の説明】
【００８４】
１…医用画像保管装置、２…医用画像撮像装置、３…医用画像診断装置、４…医用画像表示装置、１１…制御部、１２…送受信部、１３…記憶部、１４…分割部、１５…ＩＤ付与部、１６…鍵発生部、１７…暗号化処理部、１８…復号化処理部、１９…結合部、２１…部分ファイル記憶部、２２…付帯情報記憶部、２３…鍵記憶部、２４…管理表記憶部。
【図１】
2015165833.tif 000003
【図２】
2015165833.tif 000004
【図３】
2015165833.tif 000005
【図４】
2015165833.tif 000006
【図５】
2015165833.tif 000007
【図６】
2015165833.tif 000008
【図７】
2015165833.tif 000009
【図８】
2015165833.tif 000010
【図９】
2015165833.tif 000011
【図１０】
2015165833.tif 000012
【図１１】
2015165833.tif 000013
【図１２】
2015165833.tif 000014
【図１３】
2015165833.tif 000015